(57)【要約】      （修正有）【課題】コンバーターの取付作業を容易にするＬＥＤ照明装置を提供する。【解決手段】コンバーター１′にコンバーターのアンペア数を大きくするトランスを連結し、該コンバーターからの電流を複数の電線２に分配し、それぞれの電線をＬＥＤ照明３に連結して、１台の前記コンバーターに複数のＬＥＤ照明を連結し得るように構成し、手元で取付作業を行なうことができると共に、複数のＬＥＤ照明の取付作業を１台のコンバーターの取付で済むようにした。【選択図】図２
0003173804.tif 000002
【実用新案登録請求の範囲】
【請求項１】
コンバーターにコンバーターのアンペア数を大きくするトランスを連結し、該コンバーターからの電流を複数の電線に分配し、それぞれの電線をLED照明に連結し、前記アンペア数を大とすることによって、前記コンバーターとLED照明との距離が長くなってもフリッカー現象を防止し得ると共に、１台の前記コンバーターに複数のLED照明を連結し得るように構成したことを特徴とするLED照明。
【請求項２】
停電時に対応できるように、更に蓄電池を具備するようにし、該蓄電池は前記トランスを連結したコンバーターと一緒に箱に収容した請求項１記載のLED照明。
【請求項３】
前記トランスを連結したコンバーターと前記蓄電池とを、一組をバックアップ用として二組み具備するようにし、これらを一緒に箱に収容した請求項１又は２に記載のLED照明。
【考案の詳細な説明】
【技術分野】
【０００１】
本考案は、コンバーターを壁に掛けてLED照明の取付作業ができると共に単一のコンバーターに複数のLED照明を連結し得るようにしたLED照明装置に関する。
【背景技術】
【０００２】
LED（発光ダイオード）を用いた照明灯は、従来の照明灯と比べ、省エネルギー性に優れている。そのため、原発事故に起因する電源不足の問題が高まる昨今、LED照明灯に対する重要性が高まってきている。
【０００３】
従来、LED照明装置は、図１に示すように、コンバーター１で交流電圧を直流電圧に変換し、電線２を介して電流を１個のLED照明３に供給して点灯させていた。即ち、コンバーター１とLED照明３とは、一対一であった。
しかしながら、このLED照明３の取付は、高天井のＨ鋼上にコンバーターを置き、コンバーターからの電線をLED照明３に連結していたので、LED照明装置の取付作業が非常に厄介で危険な問題があった。また、LED照明装置に不具合が生じた場合は、高天井での作業を行わなければならない場合も生じるが、これも厄介で危険な作業であった。
【０００４】
コンバーター１を壁に掛けることが出来れば良いが、コンバーター１を壁に掛けると、LED照明との距離が長くなる（例えば５m以上）から、電圧がドロップしてフリッカー現象が生じる。
【考案の開示】
【考案が解決しようとする課題】
【０００５】
この考案は、このような点に着目してなされたものであり、LED照明装置の取付作業を容易にするLED照明装置を提供することを目的とする。
【課題を解決するための手段】
【０００６】
本考案者は、上記目的を達成するため鋭意研究の結果、コンバーターからの電流のアンペア数を大きくして、コンバーターを壁に掛けることができるようにし、しかも単一のコンバーターからの電線を複数に分配し、それぞれの電線をLED照明に連結すれば、１台のコンバーターで複数のLED照明を連結できるから、LED照明装置の取付作業が極めて容易になることを想到し、本考案に到達した。
【０００７】
即ち本考案は、コンバーターにコンバーターのアンペア数を大きくするトランスを連結し、該コンバーターからの電流を複数の電線に分配し、それぞれの電線をLED照明に連結し、前記アンペア数を大にすることによって、前記コンバーターとLED照明との距離が長くなってもフリッカー現象を防止し得ると共に、１台の前記コンバーターに複数のLED照明を連結し得るように構成したことを特徴とする。
【０００８】
停電時に対応できるように、更に蓄電池を具備するようにし、前記トランスを連結したコンバーターと一緒に箱に収容するのが好ましい（請求項２）。
【０００９】
前記トランスを連結したコンバーターと前記蓄電池とを、一組をバックアップ用として二組み具備するようにし、これらを一緒に箱に収容するのが好ましい（請求項３）。
【考案の効果】
【００１０】
本考案によれば、コンバーターを壁に掛けたり床等に置いて手元で作業ができると共に、単一のコンバーターからの複数の電線を複数のLED照明に連結することができるので、複数のLED照明を取り付けるのに、コンバーターは１台の設置で済むから、LED照明装置の取付作業が極めて容易になる。
【図面の簡単な説明】
【００１１】
【図１】従来のLED照明装置を示すブロック図である。
【図２】本考案の一実施例を示すブロック図である。
【図３】本考案の他の実施例を示すブロック図である。
【符号の説明】
【００１２】
１・・・・・・従来のコンバーター
１´・・・・・・本考案に使用するコンバーター
２・・・・・・電線
３・・・・・・LED照明
４，４´・・・・・・箱
５・・・・・・蓄電池
【考案を実施するための最良の形態】
【００１３】
以下、添付図面に従って、本考案の具体例を更に詳細に説明する。
【００１４】
図２は、本考案の一実施例を示すものであり、箱４内にトランスで電圧を高くし、これを直流に変換してアンペア数を大きくするコンバーター１´と、停電の場合に使用する蓄電池５とを収容し、コンバーター１´には、４本の電線２のそれぞれを介して、LED照明３を連結した例を示す。コンバーター１´には、図示しないが、トランスが連結されている。
【００１５】
このようにトランスで電圧を高くしているので、LED照明３がコンバーター１´からの距離が長くなってもフリッカー現象が防止できると共に、コンバーター１´に複数（４個）のLED照明２を連結することができる。
【００１６】
交流の例えば１００ボルトは、コンバーターに連結したトランスによって、所定のアンペア数が得られる電圧とし、これをコンバーター１´により直流のボルトに変換する。このようにして増幅された電流は、分配器によって、LED照明３の個数の電線２に分けられて、LED照明３に供給される。
【００１７】
このように構成したことにより、トランスでアンペア数を大にした１台のコンバーター１´からの電流を、それぞれ電線２を介して４個のLED照明３に供給し、４個のLED照明３を点灯させることができる。
【００１８】
連結するLED照明３の数は特に限定されないが、連結するLED照明３の数に応じて、所定のアンペア数の電流に増幅できるように、トランスで変換する電流の高さを選定すれば良い。
【００１９】
コンバーター１´とLED照明３との距離が例えば５m以上と長くなると、電流がドロップするフリッカー現象が生じる。従って、増幅する電流の高さは、LED照明３の個数だけでなく、コンバーター１´とLED照明３との距離が例えば５m以上と長くなっても、フリッカー現象が生じないアンペア数に増幅することを意味する。
【００２０】
図３は、本考案の他の実施例を示すものであり、アンペア数を大きくすることができるようにしたトランスを連結したコンバーター１´と蓄電池５とを一組とし、これらを二組箱４´内にまとめて収容した例を示す。
【００２１】
二組としたのは、一組はコンバーター１´と蓄電池５とが不具合が生じた場合のバックアップ用とするためである。
【００２２】
上記実施例では、トランスを連結したコンバーター１´と蓄電池５とを、分電盤のように一つにまとめて箱内に収容している。このようにすれば、所定の位置の壁面に固定し、手元で複数のLED照明取り付け作業を行なうことができるので便利である。
【産業上の利用可能性】
【００２３】
本考案によれば、コンバーターとLED照明との距離が長くなってもフリッカー現象が生じないので、手元でLED照明取り付け作業を行なうことができると共に、コンバーター１台に複数のLED照明を連結することができ、複数のLED照明の取り付けが１台のコンバーターの取付で済むので、複数のLED照明の取付作業が極めて容易になるから、その普及が期待される。
【図１】
0003173804.tif 000003
【図２】
0003173804.tif 000004
【図３】
0003173804.tif 000005